(57)【要約】【課題】Ｕ字溝の位置の設定や、傾斜材の向きを考慮した上での滞水材の最適な配置、あるいは、マンホールを設ける位置の選定等や、雨水貯溜槽の構造の確認、砂や汚泥等が混在する雨水が、スムースにＵ字溝に流れ込むかどうかの確認が、正確、且つ、容易に行える雨水貯溜槽設計支援装置、及び、雨水貯溜槽設計支援方法を提供する。【解決手段】傾斜材を含む複数種類の前記滞水材を積層して主滞水ユニットが構成され、該主滞水ユニットが配列されると共に、該配列が複数のグループに分けられ、該グループの間に、副滞水ユニットが一列に配列されて挿入され、該副滞水ユニットの配列の下にＵ字溝が設けられており、一部の主滞水ユニットがマンホールユニットに置換されて構成される雨水貯溜槽が設計支援の対象である雨水貯溜槽設計支援装置を、表示手段１、入力手段２、データ保持手段３、配置・変更手段４、及び、置換手段５を備えて構成する。【選択図】図１
2007183829.tif 000002
【特許請求の範囲】
【請求項１】
滞水材の１種類として、傾斜面を有し該傾斜面を流れる流水に混在する砂や汚泥が該傾斜面により下方に流れる作用を有する傾斜材が用いられており、該傾斜材を含む複数種類の前記滞水材を積層して滞水用の空隙を備えた主滞水ユニットが構成され、該主滞水ユニットが水平状に縦横に隣接して配列されると共に、該主滞水ユニットが縦横に隣接している配列が複数のグループに分けられており、該グループが相互に隣接する間に、前記主滞水ユニットとサイズが同一で前記滞水材の構成が異なる副滞水ユニットが一列に配列されて挿入されると共に、該副滞水ユニットの配列の下に前記砂や汚泥を流し込むためのＵ字溝が設けられており、前記主滞水ユニット又は前記副滞水ユニットの中で、配列されている一部のユニットが該ユニットと置き換え可能なサイズのマンホールユニットに置換されて構成される地下貯留槽が設計支援の対象である地下貯留槽設計支援装置であって、
３次元図形データを、２次元及び３次元で図形表示可能な表示手段と、
前記表示手段に表示される表示図形に対して、各種の処理指示が手動で入力される入力手段と、
前記主滞水ユニット、前記副滞水ユニット、前記Ｕ字溝、及び、前記マンホールユニットの３次元図形データであって、前記主滞水ユニットの上面、及び、前記副滞水ユニットの上面には、これらの滞水ユニットが備えている前記傾斜材の傾斜が下がる方向が表示されている３次元図形データ、及び、各前記ユニットを配置して前記地下貯留槽を構成するための枠で囲まれたエリアを示した平面状の枠エリアの３次元図形データを保持するデータ保持手段と、
前記表示手段に２次元で表示された前記枠エリアの平面上に、前記入力手段により入力された処理指示である配置指示に基づき、前記主滞水ユニット、及び、前記Ｕ字溝を伴った前記副滞水ユニットを、前記主滞水ユニットの上面、及び、前記副滞水ユニットの上面が表示されるようにして、予め定められた向きに配置すると共に、配置された前記主滞水ユニットの向きを、前記入力手段により入力された処理指示である変更指示に基づき、変更する配置・変更手段と、
前記配置・変更手段により前記主滞水ユニット、及び、前記副滞水ユニットが配置された前記枠エリアの平面上において、配置されているいずれかの前記主滞水ユニット又は前記副滞水ユニットを、前記入力手段により入力された処理指示である置換指示に基づき、指定すると共に、該指定された主滞水ユニットを、前記マンホールユニットに、該マンホールユニットの上面が表示されるようにして置換する置換手段と、を備えていることを特徴とする地下貯留槽設計支援装置。
【請求項２】
前記表示手段は、該表示手段に２次元で表示されている図形を、前記入力手段により入力された処理指示である３次元表示指示に基づき、３次元で表示すると共に、前記入力手段により入力された処理指示である看視方向指示により、前記３次元で表示された図形の看視方向が可変可能である請求項１記載の地下貯留槽設計支援装置。
【請求項３】
前記表示手段は、該表示手段に表示されている３次元図形上に、前記入力手段により入力された処理指示である断面指定指示に基づき、断面を表示させる部分が指定されると、該部分の断面を２次元で表示する請求項２記載の地下貯留槽設計支援装置。
【請求項４】
前記データ保持手段は、複数種類の前記マンホールユニットの３次元図形データを保持していると共に、
前記配置・変更手段は、前記入力手段により入力された処理指示であるマンホール種類指定指示に基づき、複数種類の前記マンホールユニットからいずれかを選択すると共に、該選択されたマンホールユニットを、置換の対象とする請求項１〜３のいずれか１項に記載の地下貯留槽設計支援装置。
【請求項５】
滞水材の１種類として、傾斜面を有し該傾斜面を流れる流水に混在する砂や汚泥が該傾斜面により下方に流れる作用を有する傾斜材が用いられており、該傾斜材を含む複数種類の前記滞水材を積層して滞水用の空隙を備えた主滞水ユニットが構成され、該主滞水ユニットが水平状に縦横に隣接して配列されると共に、該主滞水ユニットが縦横に隣接している配列が複数のグループに分けられており、該グループ間に、前記主滞水ユニットとサイズが同一で前記滞水材の構成が異なる副滞水ユニットが一列に配列されて挿入されると共に、該副滞水ユニットの配列の下に前記砂や汚泥を流し込むためのＵ字溝が設けられており、前記主滞水ユニットの中で、配列されている一部の主滞水ユニットが該主滞水ユニットと置き換え可能なサイズのマンホールユニットに置換されて構成される地下貯留槽が設計支援の対象であり、コンピュータにより実行される地下貯留槽設計支援方法であって、
前記コンピュータは、３次元図形データを、２次元及び３次元で図形表示可能な表示装置と、前記表示手段に表示される表示図形に対して、各種の処理指示が手動で入力される入力装置と、前記主滞水ユニット、前記副滞水ユニット、前記Ｕ字溝、及び、前記マンホールユニットの３次元図形データであって、前記主滞水ユニットの上面、及び、前記副滞水ユニットの上面には、これらの滞水ユニットが備えている前記傾斜材の傾斜が下がる方向が表示されている３次元図形データ、及び、各前記ユニットを配置して前記地下貯留槽を構成するための枠で囲まれたエリアを示した平面状の枠エリアの３次元図形データを保持する記憶装置とを備えており、
前記コンピュータにより実行されるステップであって、
前記表示装置に２次元で表示された前記枠エリアの平面上に、前記入力装置により入力された処理指示である配置指示に基づき、前記主滞水ユニット、及び、前記Ｕ字溝を伴った前記副滞水ユニットを、前記主滞水ユニットの上面、及び、前記副滞水ユニットの上面が表示されるようにして、予め定められた向きに配置すると共に、配置された前記主滞水ユニットの向きを、前記入力手段により入力された処理指示である変更指示に基づき、変更する配置・変更ステップと、
前記配置・変更ステップにより前記主滞水ユニット、及び、前記副滞水ユニットが配置された前記枠エリアの平面上において、配置されている前記主滞水ユニットのいずれかを、前記入力装置により入力された処理指示である置換指示に基づき、指定すると共に、該指定された主滞水ユニットを、前記マンホールユニットに、該マンホールユニットの上面が表示されるようにして置換する置換ステップと、で構成されていることを特徴とする地下貯留槽設計支援方法。
【請求項６】
前記表示装置は、該表示装置に２次元で表示されている図形を、前記入力装置により入力された処理指示である３次元表示指示に基づき、３次元で表示すると共に、前記入力装置により入力された処理指示である看視方向指示により、前記３次元で表示された図形の看視方向が可変可能である請求項５記載の地下貯留槽設計支援方法。
【請求項７】
前記表示装置は、該表示装置に表示されている３次元図形上に、前記入力装置により入力された処理指示である断面指定指示に基づき、断面を表示させる部分が指定されると、該部分の断面を２次元で表示する請求項６記載の地下貯留槽設計支援方法。
【請求項８】
前記データ記憶装置は、複数種類の前記マンホールユニットの３次元図形データを保持していると共に、
前記配置・変更ステップは、前記入力装置により入力された処理指示であるマンホール種類指定指示に基づき、複数種類の前記マンホールユニットからいずれかを選択すると共に、該選択されたマンホールユニットを、置換の対象とする請求項５〜７のいずれか１項に記載の地下貯留槽設計支援方法。
【請求項９】
請求項５〜請求項８のいずれか１項に記載の地下貯留槽設計支援方法が有する各ステップを備えており、前記コンピュータが実行可能な地下貯留槽設計支援プログラム。
【請求項１０】
請求項９に記載の地下貯留槽設計支援プログラムが記録されたプログラム記録媒体。
【発明の詳細な説明】
【技術分野】
【０００１】
本発明は、地下貯留槽設計支援装置、地下貯留槽設計支援方法、該設計方法に基づく地下貯留槽設計支援プログラム及び該プログラムを記録したプログラム記録媒体に関する。
【背景技術】
【０００２】
住宅地等では、集中豪雨等により、大量の雨水等が滞留する恐れがあり、この雨水等によって住居に浸水する恐れもある。そこで、大規模な宅地造成地等では、従来から、造成面積に見合う間隔や規模で調整池を造成している。この調整池は、例えば、地面を１ｍ程度掘下げて雨水等の貯留部を形成し、この貯留部に周囲の住宅地からの排水溝や道路の側溝を接続している。このような調整池は、集中豪雨等に際しては、余分な雨水等を一時貯留することにより、周囲の住宅地への雨水等の滞留や下水の河川への流出、或いは、これらに起因する河川の氾濫等を防止しようとするものである。
【０００３】
又、調整池としては、貯留部の周囲を透水シートで形成して、雨水等を徐々に地面に浸透させるように構成した浸透式の貯留部を用いたものもある。このように、貯留部の壁面を防水性シートで形成したり、透水性シートで形成したり、或いは下方を防水性シートで形成し上方を透水性シートで形成したりする等によって、調整池を、貯留施設、浸透施設、或いは、貯留浸透施設として機能させている。
【０００４】
上記のような雨水等の貯留浸透施設には、さまざまなものが存在する。特許文献１に記載の雨水等の貯留浸透施設は、地面を掘下げてタンク部を構成し、その底部からグランドライン付近まで、複数の容器状部材を縦横かつ上下に配設して充填し、最上部には、被覆手段を施したことを特徴とするものである。そして、容器状部材を多数の孔を有する底部及び周側板で構成し、底部に向かって小さくなるテーパ状に構成したことを特徴とするものである。
【０００５】
又、特許文献２に記載の雨水貯留装置は、地面を掘下げて形成した貯水槽の内部に、複数本の支柱を備えた合成樹脂製充填体を縦横に並べ、上下に積み重ねて充填し、その上に被覆手段を施した雨水貯留装置であって、貯水槽の底面に固形分排出用の溝を形成し、少なくとも上方の合成樹脂製充填体の支柱間に多数の水噴射孔を有する散水管、又は多数の排気孔を有する散気管を配設したものである。この雨水貯留装置は、充填体に堆積する固形分を簡単に取り除くことができることから、メンテナンスが容易な利点がある。
【０００６】
しかし、特許文献１に記載の貯留浸透施設は、雨水等と共に砂や汚泥が貯留部に流れ込むことを防止するため、流入部に泥溜め枡を備えているが、長期間使用しているうちに泥溜め枡を通過した砂や汚泥が貯留部の底面に沈殿して堆積する。貯留部は内部に容器状部材が縦横かつ上下に配設して充填されており、堆積した砂や汚泥を除去することが難しい。このため、貯留部の内容積が徐々に少なくなって雨水等の貯留量が少なくなり、内容積が極端に少なくなると調整池として機能しなくなる虞がある。その場合、既設の調整池を掘り起こし、充填部材を撤去後に清掃し、再度充填部材を配設しなおすという手間がかかる上に、その費用も多額となる。また、必要に応じて新規の貯留浸透施設を造成することとなり、その場合は、新たな土地を必要とし、土地の有効利用の妨げになるという問題も生じる。
【０００７】
又、特許文献２に記載の雨水貯留装置は、貯水槽の内部に散水管や散気管を別途配設するため、構成が複雑となって装置の作製が煩雑となり、費用もかさむという問題点がある。そして、散水管や散気管が貯水槽内に位置するため、その分貯水槽の空隙率が下がり貯水量が減るという問題がある。さらに、充填体に堆積する固形分を散水管で取り除くときには、貯水槽を空にして散水管から高圧の水を噴射する操作が必要である。
【０００８】
そこで、これらの問題を解決するべく提案されたのが、特許文献３に記載の新たな構造を備えた地下貯留槽である。この新たな構造を備えた地下貯留槽は、雨水等と共に流入する砂や汚泥を所定の場所に誘導して集め、この場所に堆積した砂や汚泥をバキューム等で吸い出すと共に、所定の場所を洗浄することができる。そのため、長期間使用して貯留部に砂等が堆積しても除去することができ、従って、内容積を長期間にわたって充分に確保することができる。
【０００９】
上記の新たな構造の地下貯留槽は、地下に設置され、滞水材を嵌合し積み上げて空間を構成して滞水槽を形成すると共に、この滞水槽を遮水シート又は透水シートで覆った構造をしている。この地下貯留槽に使用される滞水材は、複数種類の形状の異なるものが用意されており、上記の地下貯留槽はこれらの形状の異なる複数種類の滞水材を組み合わせて構成されている。又、これらの複数種類の各滞水材は、サイズが人手で運べる程度の大きさになっており、強度も大きいことから、人手で施工作業が行えると共に、滞水材を積み重ねるときに、施工者が滞水材の上に載って行っても安定して積み重ねることができるので、施工作業を容易に行うことができる。
【００１０】
この上記の新たな構造の地下貯留槽は、上述したように、複数種類の滞水材を組み合わせて構成する構造を採用したことにより、これら複数種類の滞水材の組み合わせを部分的に変更することが可能であり、地下貯留槽の強度を保ちつつ、貯水部分となる空隙部分が最大となるように構成することができる。そのため、スペース効率のよい地下貯留槽を形成することができる。
【特許文献１】特公平４−２６６４８号公報
【特許文献２】特開２０００−１６０６０６号公報
【特許文献３】特開２００４−０１９１２２号公報
【発明の開示】
【発明が解決しようとする課題】
【００１１】
ところで、上記の新たな構造の地下貯留槽は、上述したように、複数種類の形状の異なる滞水材を組み合わせて構成すると共に、雨水等と共に流入する砂や汚泥を所定の場所に誘導して集める仕組を採用している。即ち、上記の地下貯留槽は、滞水材の１種類として、傾斜面を有し該傾斜面を流れる流水に混在する砂や汚泥が該傾斜面により下方に流れる作用を有する傾斜材を含む複数種類の滞水材を用いると共に、この滞水材を積層して滞水用の空隙を備えた滞水ユニットを形成し、更に、雨水等と共に流入する砂や汚泥を流し込むためのＵ字溝を設けている。又、このＵ字溝に堆積した砂や汚泥をバキューム等で吸い出すと共に、Ｕ字溝を洗浄する等のためにマンホール等を設けている。
【００１２】
そのため、上記の地下貯留槽の設計に際しては、砂や汚泥等が混在する雨水等が、スムースにＵ字溝に流れ込むようにするための、Ｕ字溝の位置の設定や、傾斜材の向きを考慮した上での滞水材の最適な配置等を行う必要があった。又、マンホールを設ける位置の選定等や、砂や汚泥等が混在する雨水等が、スムースにＵ字溝に流れ込むかどうかの確認を行う必要もあった。
【００１３】
従来、この点は、滞水材の配置やＵ字溝、マンホールの位置の設定を、初期設定で行った設計データに基づき、地下貯留槽の平面図、正面図、側面図や断面図、を作成して、確認や選定を行っていた。しかし、この方法では、設計内容が初期設定では適切でない場合や地下貯留槽の設置条件が変更され、再設計が行われた場合には、最初に戻って、一から地下貯留槽の平面図、正面図、側面図や断面図の作成をやり直して、確認や選定を行わなければならず、手間と時間がかかっていた。又、部材の組み合わせや配置の変更により、コストや貯留量が変わるので、これらの確認も最初からやり直さなければならず、手間と時間がかかっていた。
【００１４】
そこで、この発明は、このような状況に対処するためになされたものであって、上記の新たな構造の地下貯留槽の設計に際して、Ｕ字溝の位置の設定や、傾斜材の向きを考慮した上での滞水材の最適な配置、あるいは、マンホールを設ける位置の選定等や、地下貯留槽の構造の確認、砂や汚泥等が混在する雨水等が、スムースにＵ字溝に流れ込むかどうかの確認が、正確、且つ、容易に行える地下貯留槽設計支援装置、及び、地下貯留槽設計支援方法を提供しようとするものである。
【課題を解決するための手段】
【００１５】
まず、本発明の地下貯留槽設計支援装置について説明する。本発明の地下貯留槽設計支援装置は、地下貯留槽を設計支援対象とする設計支援装置である。この地下貯留槽では、滞水材が用いられるが、滞水材とは、地下貯留槽を構築するための空間を形成するために積み上げられる部材をいう。この滞水材の１種類として、傾斜面を有し該傾斜面を流れる流水に混在する砂や汚泥が該傾斜面により下方に流れる作用を有する傾斜材が用いられており、この傾斜材を含む複数種類の滞水材を積層して滞水用の空隙を備えた主滞水ユニットが構成され、この主滞水ユニットが水平状に縦横に隣接して配列される。
【００１６】
又、この主滞水ユニットが縦横に隣接している配列が複数のグループに分けられており、このグループが相互に隣接する間に、主滞水ユニットとサイズが同一で滞水材の構成が異なる副滞水ユニットが一列に配列されて挿入されると共に、該副滞水ユニットの配列の下に砂や汚泥を流し込むためのＵ字溝が設けられている。この地下貯留槽は、主滞水ユニット又は副滞水ユニットの中で、配列されている一部のユニットが該ユニットと置き換え可能なサイズのマンホールユニットに置換されて構成される。
【００１７】
図１は、本発明の地下貯留槽設計支援装置の構成を示したブロック図である。図１において、本発明の地下貯留槽設計支援装置は、表示手段１、入力手段２、データ保持手段３、配置・変更手段４、及び、置換手段５を備えている。
【００１８】
この内、表示手段１は、３次元図形データを、２次元及び３次元で図形表示可能な機能を備えている。又、入力手段２は、表示手段１に表示される表示図形に対して、各種の処理指示を地下貯留槽設計支援装置へ手動で入力する機能を備えている。
【００１９】
データ保持手段３は、主滞水ユニット、副滞水ユニット、Ｕ字溝、及び、マンホールユニットの３次元図形データであって、主滞水ユニットの上面、及び、副滞水ユニットの上面には、これらの滞水ユニットが備えている傾斜材の傾斜が下がる方向が矢印等で表示されている３次元図形データ、及び、各ユニットを配置して地下貯留槽を構成するための枠で囲まれたエリアを示した平面状の枠エリアの３次元図形データを保持する機能を備えている。これらの３次元図形データは、通常、３次元ＣＡＤを用いて設計されたデータが用いられる。
【００２０】
配置・変更手段４は、表示手段１に２次元で表示された枠エリアの平面上に、入力手段２により入力された処理指示である配置指示に基づき、主滞水ユニット、及び、Ｕ字溝を伴った副滞水ユニットを、主滞水ユニットの上面、及び、副滞水ユニットの上面が表示されるようにして、予め定められた向きに配置すると共に、配置された主滞水ユニットの向きを、入力手段２により入力された処理指示である変更指示に基づき、変更する機能を備えている。
【００２１】
そして、置換手段５は、配置・変更手段４により主滞水ユニット、及び、副滞水ユニットが配置された枠エリアの平面上において、配置されているいずれかの主滞水ユニット又は副滞水ユニットを任意に、入力手段２により入力された処理指示である置換指示に基づき、指定すると共に、該指定された主滞水ユニットを、マンホールユニットに、該マンホールユニットの上面が表示されるようにして置換する機能を備えている。
【００２２】
上記の地下貯留槽設計支援装置によれば、２次元で表示された枠エリアの平面上に、主滞水ユニット、及び、Ｕ字溝を伴った副滞水ユニットを、配置すると共に、配置された主滞水ユニットの向きを、変更することができる。又、配置された主滞水ユニットのいずれかを任意に、マンホールユニットに置換することができる。従って、Ｕ字溝の位置の設定や、傾斜材の向きを考慮した上での滞水材の最適な配置、あるいは、マンホールを設ける位置の選定等を容易に行うことができる。
【００２３】
上記の地下貯留槽設計支援装置において、表示手段１は、該表示手段１に２次元で表示されている図形を、入力手段２により入力された処理指示である３次元表示指示に基づき、３次元で表示すると共に、入力手段２により入力された処理指示である看視方向指示により、３次元で表示された図形の看視方向が可変可能であるようにするのが好ましい。
【００２４】
このようにすることにより、地下貯留槽の構造の確認、或いは、砂や汚泥等が混在する雨水等がスムースにＵ字溝に流れ込むかどうかの確認を、正確、且つ、容易に行うことができる。
【００２５】
又、上記の地下貯留槽設計支援装置において、表示手段１は、該表示手段１に表示されている３次元図形上に、入力手段２により入力された処理指示である断面指定指示に基づき、断面を表示させる部分が指定されると、該部分の断面を２次元で表示するようにするのが好ましい。
【００２６】
このようにすることにより、地下貯留槽の構造の確認、或いは、砂や汚泥等が混在する雨水等がスムースにＵ字溝に流れ込むかどうかの確認を、更に、正確、且つ、容易に行うことができる。
【００２７】
又、上記の地下貯留槽設計支援装置において、データ保持手段３に、複数種類のマンホールユニットの３次元図形データを保持させる。そして、配置・変更手段４が、入力手段２により入力された処理指示であるマンホール種類指定指示に基づき、複数種類のマンホールユニットからいずれかを選択すると共に、該選択されたマンホールユニットを、置換の対象とするようにするのが好ましい。
【００２８】
このようにすることにより、地下貯留槽の多様な仕様に対して、きめ細かく対応することができる。
【００２９】
次に、本発明の地下貯留槽設計支援方法について説明する。本発明の地下貯留槽設計支援方法は、上述した本発明の地下貯留槽設計支援装置と同様、地下貯留槽を設計支援対象としており、コンピュータにより実行される設計支援方法である。この支援対象の地下貯留槽は、上記の地下貯留槽設計支援装置の支援対象である、上述した地下貯留槽と同じものである。
【００３０】
上記のコンピュータは、表示装置、入力装置、及び、記憶装置を備えている。この内、表示装置は、３次元図形データを、２次元及び３次元で図形表示可能な装置である。入力装置は、表示装置に表示される表示図形に対して、各種の処理指示が上記のコンピュータに手動で入力される装置である。又、記憶装置は、主滞水ユニット、副滞水ユニット、Ｕ字溝、及び、マンホールユニットの３次元図形データであって、主滞水ユニットの上面、及び、副滞水ユニットの上面には、これらの滞水ユニットが備えている傾斜材の傾斜が下がる方向が矢印等で表示されている３次元図形データ、及び、各ユニットを配置して地下貯留槽を構成するための枠で囲まれたエリアを示した平面状の枠エリアの３次元図形データを記憶する装置である。
【００３１】
又、上記の地下貯留槽設計支援方法は、配置・変更ステップ、及び、置換ステップで構成されている。この内、配置・変更ステップは、表示装置に２次元で表示された枠エリアの平面上に、入力装置により入力された処理指示である配置指示に基づき、主滞水ユニット、及び、Ｕ字溝を伴った副滞水ユニットを、主滞水ユニットの上面、及び、副滞水ユニットの上面が表示されるようにして、予め定められた向きに配置すると共に、配置された主滞水ユニットの向きを、入力装置により入力された処理指示である変更指示に基づき、変更する機能を備えている。
【００３２】
置換ステップは、配置・変更ステップにより主滞水ユニット、及び、副滞水ユニットが配置された枠エリアの平面上において、配置されている主滞水ユニットのいずれかを、入力装置により入力された処理指示である置換指示に基づき、指定すると共に、該指定された主滞水ユニットを、マンホールユニットに、該マンホールユニットの上面が表示されるようにして置換する機能を備えている。
【００３３】
上記の地下貯留槽設計支援方法において、該地下貯留槽設計支援方法が実行される上記のコンピュータに備えられている表示装置は、該表示装置に２次元で表示されている図形を、入力装置により入力された処理指示である３次元表示指示に基づき、３次元で表示すると共に、入力装置により入力された処理指示である看視方向指示により、３次元で表示された図形の看視方向が可変可能であるようにするのが好ましい。
【００３４】
又、上記の地下貯留槽設計支援方法において、上記のコンピュータに備えられている表示装置は、該表示装置に表示されている３次元図形上に、入力装置により入力された処理指示である断面指定指示に基づき、断面を表示させる部分が指定されると、該部分の断面を２次元で表示するようにするのが好ましい。
【００３５】
又、上記の地下貯留槽設計支援方法において、上記のコンピュータに備えられているデータ記憶装置は、複数種類のマンホールユニットの３次元図形データを記憶させる。そして、配置・変更ステップが、入力装置により入力された処理指示であるマンホール種類指定指示に基づき、複数種類のマンホールユニットからいずれかを選択すると共に、該選択されたマンホールユニットを、置換の対象とするようにするのが好ましい。
【００３６】
上記の各地下貯留槽設計支援方法によれば、上述した地下貯留槽設計支援装置を使用して得られる作用、効果と同様の作用、効果を得ることができる。
【００３７】
本発明の地下貯留槽設計支援プログラムは、上記の各地下貯留槽設計支援方法が有する各ステップを備えたプログラムであって、上記のコンピュータが実行可能なプログラムである。又、本発明のプログラム媒体は、上記の地下貯留槽設計支援プログラムが記録されたプログラム媒体である。
【発明の効果】
【００３８】
本発明によれば、２次元で表示された枠エリアの平面上に、主滞水ユニット、及び、Ｕ字溝を伴った副滞水ユニットを、配置すると共に、配置された主滞水ユニットの向きを、変更することができる。又、配置された主滞水ユニットのいずれかを任意に、マンホールユニットに置換することができる。従って、Ｕ字溝の位置の設定や、傾斜材の向きを考慮した上での滞水材の最適な配置、あるいは、マンホールを設ける位置の選定等を容易に行うことができる。
【００３９】
又、確認に３次元図形や断面の図形が用いられるので、地下貯留槽の構造の確認、或いは、砂や汚泥等が混在する雨水等がスムースにＵ字溝に流れ込むかどうかの確認を、正確、且つ、容易に行うことができる。
【発明を実施するための最良の形態】
【００４０】
以下、本実施の形態における地下貯留槽設計支援装置について、図面を参照しながら詳しく説明する。この地下貯留槽設計支援装置は、前述した新たな構造の地下貯留槽を設計支援の対象としている。
【００４１】
＜設計支援の対象である地下貯留槽の説明＞
そこで、まず、前述した新たな構造の地下貯留槽について詳しく説明する。図２は、この地下貯留槽の例の断面図である。この地下貯留槽は、前述したように、地下に設置される。即ち、図２に示すように、地表５１から地中５２に穴を掘って、基礎コンクリート２６を打ち、その上に保護シート２５と遮水シート２４又は透水シートを敷くと共に、中央にコンクリート２７及びコ字形のコンクリート製の枠を用いて、溝状のＵ字溝２８を形成する。
【００４２】
溝状のＵ字溝２８を形成後、遮水シート２４又は透水シートの上に、滞水材２０を嵌合し積み上げて空間を構成して滞水槽５０を形成する。そして、この滞水槽５０の側面を遮水シート２４又は透水シートで覆う。図２のように遮水シート２４を用いると、雨水等を貯留する機能を備えた地下貯留槽となるが、透水シートを用いると、雨水等を透水する機能を備えた地下透水槽となる。又、下方を防水性シートで覆い上方を透水性シートで覆うことにより、両者の機能を共に有する地下貯留透水槽とすることもできる。
【００４３】
滞水槽５０の側面を遮水シート２４又は透水シートで覆った後、掘り出した土を埋め戻して滞水槽５０を埋設して、地下貯留槽の設置が完成する。この地下貯留槽における滞水槽５０の地表からの埋設深さや滞水槽５０の容量等の仕様は、この地下貯留槽の設置条件により定まる。又、この地下貯留槽の滞水槽５０には、集水桝５４に連結されている導水管５５が連結される。集水桝５４は、道路に設けられている側溝等と導水管５３で連結されており、雨水等が集水桝５４に集められる。この雨水等が更に、導水管５５を通って、上記の地下貯留槽の滞水槽５０に流れ込む仕組みになっている。この地下貯留槽は、雨水貯留用に使用されるほか、工場排水や農業排水等の貯留用にも使用することができる。
【００４４】
図３は、上記の地下貯留槽の滞水槽５０の外観を示した斜視図である。図３に示すように、上記の地下貯留槽の滞水槽５０は、滞水材２０を嵌合して連設することにより積み上げて形成される主滞水ユニット４０を、水平状に縦横に配列して連設することにより形成される。図３では、地下貯留層の滞水槽５０の形状は直方体状であり、平面視が方形状であるが、この平面視が三角形状や多角形状となるような地下貯留層を形成することもできる。
【００４５】
図３において、主滞水ユニット４０が縦横に隣接して形成されている主滞水ユニット４０の配列は、２つのグループに分けられており、このグループが相互に隣接する間に、主滞水ユニット４０とサイズが同じであるが、滞水材の組み合わせによる構成が異なる副滞水ユニット４１が、一列に配列されて挿入されている。そして、該副滞水ユニット４１の配列の下に、砂や汚泥を流し込むためのＵ字溝２８が位置している。このＵ字溝２８と一体で設けられる副滞水ユニット４１の配列は、図３では、一列であるが、独立した配列が複数列設けられる場合もあり、或いは、十字形状に配列される場合もある。又、上記の地下貯留槽の滞水槽５０には、図３に示すように、マンホールユニット４５が備えられている。このマンホールユニット４５は、図２には図示されていない。
【００４６】
図４は、上記の主滞水ユニット４０の外観を示した斜視図である。図４に示すように、主滞水ユニット４０は、上述したように、滞水材２０を嵌合して連設することにより積み上げて形成されているが、具体的には、複数種類の滞水材２０を上下方向に組み合わせて嵌合して構成される滞水セット３０を、上下方向に連設して構成されるのである。
【００４７】
上記の滞水材２０は、複数種類の形状の異なるものが用意されている。具体的には、板材２１、傾斜材２２、及び、脚材２３の３種類が用意されている。これらの滞水材２０は、ポリプロピレン樹脂等のプラスチック製で、そのサイズは、施工作業を容易にするために、人手で運べる程度の大きさであり、滞水材２０の種類毎に、同じ形状で且つ同じサイズに定められている。図５は、上記の３種類の滞水材２０の外観を示した斜視図であり、図５(ａ)は板材２１、図５(ｂ)は傾斜材２２、そして、図５(ｃ)は脚材２３を表している。
【００４８】
上記の板材２１は、主滞水ユニット４０の最上面及び最下面に設置されて面を形成するのに使用される。又、傾斜材２２は、傾斜面を有しており、この傾斜面により雨水等に混在する砂や汚泥等をその重力や流水の勢いを利用して所定場所へ向かって流す機能を備えている。又、脚材２３は、板材と傾斜材２２との間、又は、傾斜材２２相互間に挿入されて支柱として使用され、４個単位で用いられる。
【００４９】
これらの板材２１、傾斜材２２、及び、脚材２３の滞水材２０中から、一種類以上を選んで上下方向に組み合わせることにより、上記の滞水セット３０が構成される。従って、滞水セット３０には、構成や段数の異なる種々のものが存在する。
【００５０】
この滞水セット３０には空隙が形成され、この空隙に雨水等が貯留される。この滞水セット３０は、滞水材２０の組み合わせの違いにより、滞水セット３０の全体の体積に対する空隙部分の容積の比率である滞水容積率、及び、地中に埋設時にこの滞水セット３０が耐え得る水平荷重である耐水平荷重が異なる。上述したように、滞水材２０は、この滞水材２０の種類毎に、同じ形状で且つ同じサイズに定められているので、これらの滞水材２０を組み合わせて構成される各滞水セット３０も、滞水セット３０の種類毎に、同じ形状で且つ同じサイズに定められている。又、上記の滞水容積率及び耐水平荷重についても、各滞水セット３０を構成する滞水材２０の形状やサイズ等により、それぞれ定まる一定の同じ値を有している。これらの滞水セット３０を、上下方向に連設して主滞水ユニット４０が構成される。
【００５１】
次に、副滞水ユニット４１について説明する。上述したように、上記の地下貯留槽には、図３に示すように、水平状に１列に並んだ副滞水ユニット４１の列の下に、この列に沿って、Ｕ字溝２８が設けられている。
【００５２】
この副滞水ユニット４１を備えている地下貯留槽では、副滞水ユニット４１の列以外の部分に配置されている主滞水ユニット４０の滞水セット３０に含まれる傾斜材２２の傾斜の方向が、図３に示すように、Ｕ字溝２８に向かって下がるように設置されると共に、副滞水ユニット４１の列を形成している副滞水ユニット４１に含まれる傾斜材２２の傾斜の方向が、Ｕ字溝滞水ユニットの列と同じ方向となるように配置されている。これは、傾斜材２２を流れる砂や汚泥等が、Ｕ字溝２８に流れ込みやすいようにするためである。尚、図３及び図４に表示されている主滞水ユニット４０の頂部表面には、矢印３５や矢印３６が表示されているが、この矢印３５や矢印３６は、その矢印の表示がある主滞水ユニット４０を構成している滞水セットに含まれている傾斜材２２の傾斜の向き、即ち、傾斜が低くなる方向を示すために用いられている。しかし、実際の主滞水ユニット４０には、このような矢印３５や矢印３６は表示されていない。上記の副滞水ユニット４１の構成は、上述した主滞水ユニット４０の構成から、上記の地下貯留槽の設置条件に基づき、一部修正して構成される。
【００５３】
又、上記の地下貯留槽の滞水槽５０には、上述したように、Ｕ字溝２８に堆積した砂や汚泥をバキューム等で吸い出すと共に、Ｕ字溝２８を洗浄する等のために、マンホールユニット４５が設けられている。このマンホールユニット４５は、地表に露出させる部分を除くその本体部のサイズが、主滞水ユニット４０及び副滞水ユニット４１のサイズと同じであり、主滞水ユニット４０及び副滞水ユニット４１と置換可能である。そこで、設計段階では、主滞水ユニット４０及び副滞水ユニット４１を配列して、滞水槽５０を構成した後、一部の主滞水ユニット４０又は副滞水ユニット４１をマンホールユニット４５に置換することにより、マンホールユニット４５を配置する。
【００５４】
＜地下貯留槽設計支援装置の説明＞
次に、本実施の形態における地下貯留槽設計支援装置について説明する。この地下貯留槽設計支援装置は、上述した地下貯留槽の設計支援を行う装置である。この装置のハードウエアとしては、ワークステーションや高性能のパソコンが用いられる。これらのワークステーションやパソコンを用いた地下貯留槽設計支援装置は、一般に、図６に示すような構成である。即ち、本実施の形態における地下貯留槽設計支援装置１０は、図６において、ＣＰＵ１１、メモリ１２、キーボード１３、マウス１４、表示装置１５、及び、プリンタ１６で構成されている。
【００５５】
上記の地下貯留槽設計支援装置１０のメモリ１２には、本実施の形態で必要なＯＳを含む各種ソフトウエアが搭載されており、本実施の形態における地下貯留槽設計支援装置１０の機能は、これらのソフトウエアを実行することにより実現される。即ち、前述した表示手段、入力手段、データ保持手段、配置・変更手段、及び、置換手段の各機能は、これらのソフトウエアと上記のハードウエアとの協働で実現される。具体的には、これらの中で、表示手段としては、ＬＣＤ等で構成される表示装置１５が用いられる。この表示装置１５は、メモリ１２に保持されるソフトウエアとの協働で、３次元図形データを、２次元及び３次元で図形表示可能な装置である。又、入力手段としては、キーボード１３、マウス１４が、入力装置として用いられる。この入力装置は、メモリ１２に保持されるソフトウエアとの協働で、各種の処理指示が手動で入力される装置である。又、データ保持手段としては、メモリ１２がデータ記憶装置として用いられる。
【００５６】
上記の地下貯留槽設計支援装置１０のメモリ１２には、主滞水ユニット４０、副滞水ユニット４１、Ｕ字溝、及び、マンホールユニット４５の３次元図形データであって、主滞水ユニット４０の上面、及び、副滞水ユニット４１の上面には、これらの滞水ユニットが備えている傾斜材の傾斜が下がる方向が矢印等で表示されている３次元図形データ、及び、各ユニットを配置して地下貯留槽を構成するための枠で囲まれたエリアを示した平面状の枠エリアの３次元図形データが記憶されている。
【００５７】
次に、上記の地下貯留槽設計支援装置の処理プロセスについて説明する。図７及び図８は、上記の地下貯留槽設計支援装置の処理プロセスを示したフローチャートである。このフローチャートにおいて、二重枠で囲まれたステップは、雨水貯溜槽設計支援装置により処理されるステップであり、一重枠で囲まれたステップは、上記の雨水貯溜槽設計支援装置の操作者により判断されるステップを表している。又、図９〜図１６は、表示装置１５に表示される表示の例を示した表示画面図である。
【００５８】
図７及び図８において、図６に示すこの地下貯留槽設計支援装置１０のキーボード１３やマウス１４等を用いて動作開始の指示がなされると、表示装置１５に、滞水槽５０が形成されるエリアである枠エリアが２次元で表示される(図９参照) (Ｓ１)。
【００５９】
次に、キーボード１３やマウス１４を用いて、主滞水ユニット４０、又は、Ｕ字溝を伴った副滞水ユニット４１の配置指示が、配置する場所の指定の入力を行う配置指示を行うと(図１０参照) (Ｓ２)、この配置指示に基づき、上記の枠エリア上の指定された位置に、主滞水ユニット４０又は副滞水ユニット４１が配置される(図１１参照) (Ｓ３)。この配置は、主滞水ユニット４０の上面、及び、副滞水ユニット４１の上面が表示されるようにして、予め定められた向き(図１１では下向き)に配置される。
【００６０】
配置されたのが主滞水ユニット４０であれば(Ｓ４)、次に、(Ｓ３)で配置された主滞水ユニット４０に対してキーボード１３やマウス１４を用いて、主滞水ユニット４０の向きを変更する変更指示が、向きの指定と共に入力されるので(図１２参照) (Ｓ５)、この変更指示に基づき、主滞水ユニット４０の向きが変更されて(図１３参照) (Ｓ６)、Ｓ７へ移行する。尚、Ｓ４で、配置されたのが主滞水ユニット４０でなければ、直接Ｓ７へ移行する。
【００６１】
次に、Ｓ７で、主滞水ユニット４０や副滞水ユニット４１の配置や向きの変更が全て終了していない場合は、再度、Ｓ２から繰り返す。Ｓ７で、全て終了している場合は、Ｓ８に移行する。
【００６２】
次に、Ｓ８で、置換指示がマンホールユニット４５に置換する主滞水ユニット４０又は副滞水ユニット４１の指定と共に、キーボード１３やマウス１４を用いて入力されると、指定された主滞水ユニット４０又は副滞水ユニット４１がマンホールユニット４５に置換される(図１４参照) (Ｓ９)。この置換は、マンホールユニット４５の上面が表示されるようにして行われる。
【００６３】
そして必要な全てのマンホールユニット４５の置換が終了していない場合は(Ｓ１０)、再度、Ｓ８から繰り返す。全て終了している場合は、キーボード１３やマウス１４を用いて３次元表示指示があると(Ｓ１１)、表示装置１５に表示されている滞水槽５０の図形が、３次元で表示される(図１５参照) (Ｓ１２)。この３次元表示は、キーボード１３やマウス１４を用いて入力される具体的な看視方向の指示である看視方向指示により、一般的なＣＡＤ装置と同様、３次元で表示された図形の看視方向が可変可能である。
【００６４】
この３次元表示された滞水槽５０の図形上に、断面指定指示が断面を表示したい部分の指定と共にキーボード１３やマウス１４を用いて、入力されると(Ｓ１３)、指定された部分の断面が２次元の図形で表示されて(図１６参照) (Ｓ１４)、一連の処理プロセスが終了する。
【００６５】
上記の地下貯留槽設計支援装置１０によれば、２次元で表示された枠エリアの平面上に、主滞水ユニット４０、及び、Ｕ字溝を伴った副滞水ユニット４１を、配置すると共に、配置された主滞水ユニット４０の向きを、変更することができる。又、配置された主滞水ユニット４０のいずれかを任意に、マンホールユニット４５に置換することができる。従って、Ｕ字溝の位置の設定や、傾斜材の向きを考慮した上での滞水材の最適な配置、あるいは、マンホールを設ける位置の選定等を容易に行うことができる。
【００６６】
又、確認に３次元図形や断面の図形が用いられるので、地下貯留槽の構造の確認、或いは、砂や汚泥等が混在する雨水等がスムースにＵ字溝に流れ込むかどうかの確認を、正確、且つ、容易に行うことができる。
【００６７】
上記の地下貯留槽設計支援装置１０では、マンホールの種類を１種類のみとしているが、複数種類とするようにしてもよい。この場合は、上記の地下貯留槽設計支援装置１０のメモリ１２に、複数種類のマンホールユニット４５の３次元図形データを記憶させると共に、上記の処理プロセスのＳ８で、マンホールユニット４５の種類も入力するようにする。
【００６８】
又、上記の地下貯留槽設計支援装置１０では、２次元で表示された滞水ユニットの配列を表した図形上で、マンホールユニットへの置換指示が行われているが、滞水ユニットの配列を３次元で表した図形上で、マンホールユニットへの置換指示が行われるようにしてもよい。或いは、双方のいずれを用いても、マンホールユニットへの置換指示が自由に行えるようにしてもよい。
【００６９】
又、上記の地下貯留槽設計支援装置１０では、主滞水ユニットや副滞水ユニットの配置或いは向きの変更を行った後、滞水ユニットとマンホールユニットとの置換を行っているが、最初に、一旦、滞水ユニットの配置が行われると、その後は、滞水ユニットの向きの変更と、滞水ユニットのマンホールユニットへの置換とは、順序を問わず、又、何度でも行えるようにしてもよい。
【００７０】
又、上記の地下貯留槽設計支援装置１０では、断面の表示が２次元の図形で表示されるが、３次元で表示されるようにしてもよい。又、上記の地下貯留槽設計支援装置１０では、断面の表示は、マンホールユニットの置換が終了した後に行っているが、一旦、滞水ユニットの配置が行われた後は、いつでも行えるようにしてもよい。
【００７１】
又、上記の地下貯留槽設計支援装置１０において、地下貯留槽設計支援装置１０のメモリ１２に３次元立体図形を作成するためのＣＡＤソフトウエアを搭載すると便宜である。
【図面の簡単な説明】
【００７２】
【図１】本発明の地下貯留槽設計支援装置の構成を示したブロック図である。
【図２】本実施の形態における設計支援の対象である地下貯留槽の断面図である。
【図３】図２の地下貯留槽における滞水槽の外観を示した斜視図である。
【図４】図２の地下貯留槽における滞水ユニットの外観を示した斜視図である。
【図５】滞水材の外観を示した斜視図であり、(ａ)は板材、(ｂ)は傾斜材、そして、(ｃ)は脚材である。
【図６】本実施の形態における地下貯留槽設計支援装置に用いられるパソコンの構成を示したブロック図である。
【図７】本実施の形態における地下貯留槽設計支援装置の処理プロセスを示したフローチャート（その１）である。
【図８】本実施の形態における地下貯留槽設計支援装置の処理プロセスを示したフローチャート（その２）である。
【図９】本実施の形態における地下貯留槽設計支援装置の表示装置１５に表示される表示の例を示した表示画面図（その１）である。
【図１０】本実施の形態における地下貯留槽設計支援装置の表示装置１５に表示される表示の例を示した表示画面図（その２）である。
【図１１】本実施の形態における地下貯留槽設計支援装置の表示装置１５に表示される表示の例を示した表示画面図（その３）である。
【図１２】本実施の形態における地下貯留槽設計支援装置の表示装置１５に表示される表示の例を示した表示画面図（その４）である。
【図１３】本実施の形態における地下貯留槽設計支援装置の表示装置１５に表示される表示の例を示した表示画面図（その５）である。
【図１４】本実施の形態における地下貯留槽設計支援装置の表示装置１５に表示される表示の例を示した表示画面図（その６）である。
【図１５】本実施の形態における地下貯留槽設計支援装置の表示装置１５に表示される表示の例を示した表示画面図（その７）である。
【図１６】本実施の形態における地下貯留槽設計支援装置の表示装置１５に表示される表示の例を示した表示画面図（その８）である。
【符号の説明】
【００７３】
１  表示手段
２  入力手段
３  データ保持手段
４  配置・変更手段
５  置換手段
１０  パソコン
１１  ＣＰＵ
１２  メモリ
１３  キーボード
１４  マウス
１５  表示装置
１６  プリンタ
２０  滞水材
２１  板材
２１ａ  開口板材
２２  傾斜材
２３  脚材
２４  遮水シート
２５  保護シート
２６  基礎コンクリート
２７  コンクリート
２８  Ｕ字溝
２９  地中
３０  滞水セット
４０  主滞水ユニット
４１  副滞水ユニット
４５  マンホール
５０  滞水槽
５１  地表
５２  地中
５３  導水管
５４  集水桝
５５  導水管
【図１】
2007183829.tif 000003
【図２】
2007183829.tif 000004
【図３】
2007183829.tif 000005
【図４】
2007183829.tif 000006
【図５】
2007183829.tif 000007
【図６】
2007183829.tif 000008
【図７】
2007183829.tif 000009
【図８】
2007183829.tif 000010
【図９】
2007183829.tif 000011
【図１０】
2007183829.tif 000012
【図１１】
2007183829.tif 000013
【図１２】
2007183829.tif 000014
【図１３】
2007183829.tif 000015
【図１４】
2007183829.tif 000016
【図１５】
2007183829.tif 000017
【図１６】
2007183829.tif 000018